(57)【要約】【課題】この考案は、カットテープによる開封ができ、しかも紙管にきれいに巻き取ることができる食品包装体用原反を提供することを目的とする。【解決手段】この考案の食品包装体用原反１は、プラスティックフィルムよりなる帯状の原反本体２と、原反本体２の両側縁部に設けられた折り返し部４と、原反本体２の長さ方向に沿って原反本体２に貼り付けられたカットテープ３と、カットテープ３に沿って周期的に形成された切り込み部５と、切り込み部５上に貼り付けられた封止シート６を有し、紙管７に巻き取られたものである。【選択図】図１
0003190134.tif 000002
【実用新案登録請求の範囲】
【請求項１】
プラスティックフィルムよりなる帯状の原反本体と、原反本体の両側縁部に設けられた折り返し部と、原反本体の長さ方向に沿って原反本体に貼り付けられたカットテープと、カットテープに沿って周期的に形成された切り込み部と、切り込み部上に貼り付けられた封止シートを有し、紙管に巻き取られた食品包装体用原反。
【請求項２】
折り返し部の合わせ面同士が熱溶着性接着剤によって接着されている請求項１に記載の食品包装体用原反。
【考案の詳細な説明】
【技術分野】
【０００１】
この考案は、おにぎりなどの食品の包装に用いる食品包装体用原反に関する。
【背景技術】
【０００２】
おにぎりなどの食品の包装材として透明なプラスチックシートが多用されている。この包装材には、商品名や提供者を示す印刷がなされていたり、開封を容易にするためにカットテープが貼られていたり、切り込みが設けられていたりする。
【０００３】
特許文献１には食品包装体用原反は記載されている。プラスチックシートによる包装では、特許文献１に示すように連続した帯状のプラスチックシートに周期的な印刷や切り込み部形成をほどこしたものを原反として予め作成し、紙管に巻き取っておく。食品を包装するときには、この原反を紙管から引き出し、一回分毎に切り出して使用する。
【先行技術文献】
【特許文献】
【０００４】
【特許文献１】実用新案登録第３１５２４５９号公報
【考案の概要】
【考案が解決しようとする課題】
【０００５】
特許文献１の考案では、所定の間隔を有する一対の切り込みが設けられていて、ここより開封するようになっており、カットテープは設けられていない。したがって、簡易な構成といえる。しかし、包装対象の食品によっては、容易で確実に開封できるカットテープが望まれる場合もある。
【０００６】
そこで、包装用フィルムの中心線付近にカットテープが貼られた包装材も使用されている。しかし、カットテープを使用すると、カットテープが貼られた部分が他の部分よりも厚くなる。したがって、連続した帯状のプラスティックフィルムの中心線上にカットテープを設けると、このプラスティックフィルムを紙管に巻き取るとき、中心部が突き出すようになってしまい、きれいに巻き取ることができない。
【０００７】
この考案は、カットテープによる開封ができ、しかも紙管にきれいに巻き取ることができる食品包装体用原反を提供することを目的とする。
【課題を解決するための手段】
【０００８】
上述の課題を解決するため、この考案の食品包装体用原反は、プラスティックフィルムよりなる帯状の原反本体と、原反本体の両側縁部に設けられた折り返し部と、原反本体の長さ方向に沿って原反本体に貼り付けられたカットテープと、カットテープに沿って周期的に形成された切り込み部と、切り込み部上に貼り付けられた封止シートを有し、紙管に巻き取られたものである。そして、折り返し部の合わせ面同士を熱溶着性接着剤によって接着してもよい。
【考案の効果】
【０００９】
この考案の食品包装体用原反は、両縁部において折り返し部を有するので、この部分はカットテープと同程度の厚さになっており、紙管に巻かれたときに、ほぼ均一の高さとなり、きれいに巻き取ることができる。巻き取られたロール状態の端面もきれいに揃っており、つぶれたり崩れたりしにくい。
【図面の簡単な説明】
【００１０】
【図１】食品包装体用原反を示す斜視図である。
【図２】同Ａ−Ａ断面図である。
【図３】食品包装体の使用状態を示す斜視図である。
【考案を実施するための形態】
【００１１】
この考案を実施するための形態について図面に基づいて説明する。図１は食品包装体を示す斜視図、図２は同断面図である。
【００１２】
食品包装体１は、連続した帯状のプラスチックシート２を原反本体とする。このプラスチックシート２の一方の面が包装される食品と接する面であり、図１では表に表れた面である。プラスチックシート２の表面の中心付近には、長さ方向に沿って連続したカットテープ３が貼り付けられている。カットテープとは、開封においてプラスチックシート２を切り開くのを容易にするために取り付けられる細いプラスチックのテープであり、プラスチックシート２とほぼ同じ厚さを有する。カットテープ３の取り付け位置は、食品を包装したときにおける開封場所に基いて設定されるが、プラスチックシート２の中心線付近が好ましく、本例ではちょうど中心線上に設けられている。
【００１３】
プラスチックシートの原反本体２の両側縁部には折り返し部４が設けられている。本例では、プラスチックシートの各端部をそれぞれ２ｃｍ程度の幅で上向きに折り曲げている。この折り返し部４はプラスチックシートの折り返しのみで形成してもよいが、折り返し部の合わせ面同士を接着により接続してもよい。たとえば、この合わせ面に熱溶着性の接着剤を塗布しておき、折り返し後に熱圧着することにより合わせ面同士を接着することができ、折り返し部４が崩れることなく確実に紙管に巻き取られるようにすることができる。この折り返し部４はカットテープ３が設けられた中心線付近とほぼ同じ厚さになる。
【００１４】
カットテープ３に沿って切り込み部５が周期的に設けられ、その切り込み部５の上には封止シート６が貼られる。本例では切り込み部５は円弧状に設けられている。封止シート６は切り込み部５よりも若干大きく、その周辺部がプラスチックシート２に接着されており、その中は接着されていない。これにより、切り込み部５は開封開始時に指でつまむためのつまみ部となるが、この切り込み部５による空気の出入りは封止シート６により遮断される。
【００１５】
食品包装体用原反１は、食品包装体となるべき単位が繰り返される連続体である。この繰り返し周期が食品包装体の長さとなる。この繰り返し単位における切り込み部５は、食品を包装した状態における開封開始位置に基いて設定されるが、本例ではほぼ中心の位置に設けている。
【００１６】
この食品包装体の繰り返しが連続的につながった状態で紙管７に巻き取られ、食品包装体用原反１のロールとして食品を包装する者に対して供給される。カットテープが設けられた中心部と折り返し部を有する両側端部はほぼ厚さなので、原反ロールにおいても、ほぼ高さがそろった円筒状となり、きれいに巻き取られる。とくに、ロールの端面もそろっており、つぶれたり崩れたりしにくい。そして、包装時には、このロールから食品包装体の連続体であるシートを引き出す。繰り返し周期に基いて切断することにより、食品包装体が得られる。カットテープ３や封止シートが貼られた面（図２の上側の面）を上に向け、その上におにぎりなどの食品を置き、包む。手作業により包装してもよいが、裁断および包装は包装機械により自動的に行うこともできる。これは周知の技術であるので、説明を要しない。本発明の食品包装体用原反による包装のために、新たな包装機械を導入する必要はない。
【００１７】
図３は、食品包装体の使用状態を示す。ここでは円盤状のおにぎりを包装した例で示している。おにぎりの上面または側面に切り込み部５によるつまみ部が表れる。消費者は、このつまみ部を指でつまんで引き上げることにより、開封する。カットテープ３によりプラスチックシートは切断され、簡単に開封することができる。
【符号の説明】
【００１８】
１．食品包装体用原反
２．プラスチックシート
３．カットテープ
４．折り返し部
５．切り込み部
６．封止シート
７．紙管
【図１】
0003190134.tif 000003
【図２】
0003190134.tif 000004
【図３】
0003190134.tif 000005